(57)【特許請求の範囲】
【請求項１】
有底略筒状に形成された第１ケーシング及び、開口部を蓋するように設けられた第２のケーシングとから構成されるケーシングと、
上記ケーシング内に配置され回転軸に取り付けられたシロッコファンと、
上記ケーシング内に配置されるとともに上記回転軸を介して上記ファンを回転駆動する駆動モータと、
上記ケーシング内に配置されるとともに上記駆動モータを制御する電力供給素子が実装された制御基板とを備え、
上記ファンは、上記回転軸に取り付けられた環状の支持枠と、この支持枠に周方向に沿って複数枚設けられた翼板とを有し、
上記駆動モータは、上記支持枠の内側に配置された固定子と上記制御基板とが樹脂で一体にモールドされ、その際、上記駆動モータの径方向外側にはフランジ状の突出部が一体に形成され、この固定子に囲まれた位置に上記回転軸と一体的に設けられた回転子とを有し、
上記制御基板は、上記フランジ状の突出部の中に樹脂で覆われ内蔵されるとともに、上記制御基板に実装された上記電力供給素子は、上記翼板側に向けて配置されていることを特徴とする送風機。
【発明の詳細な説明】
【０００１】
【発明の属する技術分野】
本発明は、ランドリー用送風機等の各種送風機に用いられ、特に小型化・高性能化が可能なものに関する。
【０００２】
【従来の技術】
図３はランドリー用送風機等に用いられる従来の送風機１０を示す図である。送風機１０は、ケーシング１１と、このケーシング１１内に収容されたシロッコファン１２と、ケーシング１１の外部に設けられ、シロッコファン１２を駆動する駆動モータ１３と、この駆動モータ１３を制御するためのパワーＩＣを搭載した制御基板１４とを備えている。なお、ケーシング１１は有底の第１ケーシング１１ａと、この第１ケーシング１１ａの開口部を蓋するように設けられ板状に形成された第２ケーシング１１ｂとから構成されている。
【０００３】
【発明が解決しようとする課題】
上述した送風機の構造であると次のような問題があった。すなわち、送風機１０では、駆動モータ１３がケーシング１１の外側に設けられているため、図３中Ｈで示す高さが大きくなり、薄型化が困難であった。
【０００４】
図４は駆動モータ１３をケーシング１１内に配置した例を示す図である。ここで、制御基板１４の配置について検討する。仮に、制御基板１４を二点鎖線Ａで示す位置に配置すると、シロッコファン１２の支え板１２ａがあるため冷却風が制御基板１４に当たらない。したがって、パワーＩＣの冷却効率が悪く、性能が低下するとともに、基板を大きくできないという問題があった。一方、Ｂの位置であると、冷却風は当たるものの基板を大きくできないという問題がある。
【０００５】
そこで本発明は、ケーシングを薄型化した場合であってもモータの駆動素子を効率よく冷却することができる送風機を提供することを目的としている。
【０００６】
【課題を解決するための手段】
上記課題を解決し目的を達成するために、本発明の送風機は次のように構成されている。
【０００７】
有底略筒状に形成された第１ケーシング及び、開口部を蓋するように設けられた第２のケーシングとから構成されるケーシングと、上記ケーシング内に配置され回転軸に取り付けられたシロッコファンと、上記ケーシング内に配置されるとともに上記回転軸を介して上記ファンを回転駆動する駆動モータと、上記ケーシング内に配置されるとともに上記駆動モータを制御する電力供給素子が実装された制御基板とを備え、上記ファンは、上記回転軸に取り付けられた環状の支持枠と、この支持枠に周方向に沿って複数枚設けられた翼板とを有し、上記駆動モータは、上記支持枠の内側に配置された固定子と上記制御基板とが樹脂で一体にモールドされ、その際、上記駆動モータの径方向外側にはフランジ状の突出部が一体に形成され、この固定子に囲まれた位置に上記回転軸と一体的に設けられた回転子とを有し、上記制御基板は、上記フランジ状の突出部の中に樹脂で覆われ内蔵されるとともに、上記制御基板に実装された上記電力供給素子は、上記翼板側に向けて配置されていることを特徴とする。
【０００８】
【発明の実施の形態】
図１は本発明の一実施の形態に係る送風機２０を示す図であって、（ａ）は平面図、（ｂ）は側面図である。また、図２は送風機１０を図１の（ａ）中Ｘ−Ｘ線で切断して矢印方向に見た断面図である。
【０００９】
送風機２０は、ケーシング３０を備えている。ケーシング３０内には、駆動モータ４０と、この駆動モータ４０を囲むように配置されたシロッコファン５０と、駆動モータ４０を駆動するための制御基板６０とを備えている。
【００１０】
ケーシング３０は、有底筒状に形成された第１のケーシング３１と、この第１のケーシング３１の開口部を蓋するように設けられた第２のケーシング３２とから構成されており、第１及び第２のケーシング３１，３２はボルト３３ａ及びシールパッキン３３ｂを用いて気密に締結されている。また、図１中３４は送風口、３５は吸気口を示している。
【００１１】
駆動モータ４０は、一対の軸受部４１，４２と、これら軸受部４１，４２に支持された回転軸４３と、この回転軸４３に保持された回転子４４と、この回転子４４を囲むようにして配置された固定子４５とを備えている。なお、固定子４５の外径は、後述する支持枠５１の内径よりも小さく形成されている。
【００１２】
軸受部４１はベアリングブラケット４１ａと、回転軸４３を支持するボールベアリング４１ｂとを備えている。軸受部４２は埋金４２ａと、回転軸４３を支持するボールベアリング４２ｂとを備えている。
【００１３】
固定子４５は、固定子コア４５ａと、この固定子コア４５ａに巻回されたコイル４５ｂとを備えている。また、固定子コア４５ａの外径はシロッコファン５０の後述する支持枠５１の内径よりも小さく形成されている。
【００１４】
シロッコファン５０は、環状の支持枠５１と、この支持枠５１の周方向に沿って複数枚設けられた翼板５２と、支持枠５１に一体に形成され支持枠５１を回転軸４３に固定するブラケット５３とを備えている。支持枠５１及びブラケット５３は銅板又は樹脂で形成されている。
【００１５】
制御基板６０は、第２のケーシング３２内に配置された回路基板６１と、この基板６１上に実装され、固定子４５に電力を供給するパワーＩＣ６２とを備えている。なお、パワーＩＣ６２は、固定子４５に対し回転軸４３の径方向外側に配置されるとともに、回路基板６１の翼板５２側に取り付けられている。
【００１６】
上述したベアリングブラケット４１ａ、埋金４２ａ、固定子４５及び制御基板６０は樹脂材Ｒにより一体的にモールドされている。なお、樹脂材Ｒは熱硬化樹脂を用いるのが一般的であるが、電動機の温度上昇が低ければ、熱可塑性樹脂を用いてもよい。また、第１及び第２のケーシング３１，３２は、この実施の形態では樹脂により形成されているが、鋼板を用いても良い。
【００１７】
このように構成された送風機２０は、次のように動作する。すなわち、電気は制御基板６０を介して固定子４５のコイル４５ｂに供給される。これにより回転磁界が発生し、回転子４４は回転力を受け、回転を開始する。そして、回転軸４３が回転することにより、シロッコファン５０が回わされる。この回転により、吸気口３５から外部の空気を導入し、送風口３４から目的の場所への送風を開始する。
【００１８】
一方、運転に伴ってパワーＩＣ６２が発熱する。パワーＩＣ６２における発熱は、樹脂材Ｒを介して表面に伝わる。樹脂材Ｒは、シロッコファン５０により冷却されることから、パワーＩＣ６２も冷却されることとなる。
【００１９】
上述したように本実施の形態に係る送風機２０の構成にすることにより、駆動モータ４０をシロッコファン５０の内部に配置することができ薄型化を図ることができる。また、このような配置とした場合であっても、制御基板６０の一部を固定子４５の外側に配置し、かつ、パワーＩＣ６２を回路基板６１に対しシロッコファン５０の翼板５２側に向けて配置することで、パワーＩＣ６２をシロッコファン５０で効率よく冷却することができるので、性能が低下することがない。
【００２０】
なお、本発明は前記実施の形態に限定されるものではない。すなわち、上述した例では、ファンとしてシロッコファンを用いたが、ファンの内側に駆動モータを配置できるものであれば他の送風機にも適用可能である。この他、本発明の要旨を逸脱しない範囲で種々変形実施可能であるのは勿論である。
【００２１】
【発明の効果】
本発明によれば、ケーシングを薄型化した場合であってもモータの駆動素子を効率よく冷却することが可能となり、駆動素子の破壊あるいは送風機の性能が低下することがない。
【図面の簡単な説明】
【図１】  本発明の一実施の形態に係る送風機を示す図であって、（ａ）は平面図、（ｂ）は側面図。
【図２】  同送風機を示す図であって、図１の（ａ）中Ｘ−Ｘ線で切断して矢印方向に見た断面図。
【図３】  従来の送風機の一例を示す図であって、（ａ）は平面図、（ｂ）は側面図。
【図４】  従来の送風機の問題点を示す図であって、（ａ）は平面図、（ｂ）は側面図。
【符号の説明】
２０…送風機
３０…ケーシング
４０…駆動モータ
４３…回転軸
４４…回転子
４５…固定子
５０…シロッコファン
５１…支持枠
５２…翼板
６０…制御基板
６２…パワーＩＣ
Ｒ…樹脂材
【図１】
0004203245.tif 000002
【図２】
0004203245.tif 000003
【図３】
0004203245.tif 000004
【図４】
0004203245.tif 000005